(57)【特許請求の範囲】
【請求項１】
所定の剛性及び長さを有し所望の通線領域にて移動されるテープ状のリード線と、
該リード線の先端部分の所定箇所で所定の角度付けを行い、該リード線の移動時における最先端高さ位置を調整可能なリーダヘッドとを備え、
前記リーダヘッドは、
前記リード線の先端部分に固定され、前記リード線の伸長方向に延在する上面部及び底平面部と、該上面部と底平面部の左右側端間を閉塞する側面部と、底平面部の前端から前方に突出して凸曲面形状をなす前面部を備えた本体と、
該本体の上面部よりも広い傾斜面部及び該傾斜面部の左右側端から一方面側に対峙して所定高さ突出するとともに前記本体の前端部分に基端部が軸支される側板部を有して先端が上方に揺動可能なアームと、を備え、
該アームの折りたたみ状態において前記本体に沿って延在して前記本体を傾斜面部、側板部により囲繞される空間内に収容し、拡開状態では前記本体の前端から前方斜め上方にアーム部が突出することを特徴とする通線工具。
【発明の詳細な説明】
【０００１】
【発明の属する技術分野】
本発明は、通線工具に関し、特に電線などの種々の線材を天井裏あるいは床下等に通線するために用いられる通線工具に関する。
【０００２】
【従来の技術】
従来より、建築物の天井裏や床下に電気コード等の線材を通す作業や、コンクリート床中に埋設される可撓管をコンクリートの流し込み前に上下に張り渡された二重鉄筋の間に通す作業など（以下、単に「通線作業」という）を行うための通線工具が種々提案されている。本願出願人は、特願平８−２９５１３７号にて、所望の通線領域にて押し出し移動させることができ、また移動途中に既設の線材などの障害物がある場合にはその上を乗り越えて移動することができるテープ状の通線工具を提案している。
【０００３】
これによれば、通線工具は所定の剛性及び長さを有し、その先端には所望の通線領域における押し出し移動を容易ならしめるリーダヘッドが設けられている。これにより、通線工具の先端を所定距離離間した目的位置まで確実に到達させることを可能としている。通線工具の先端を目的位置に到達させた後、通線工具の先端に通線される線材などの端部を固定し、通線工具を引っ張ることで通線が行われる。
【０００４】
図１０は、従来の通線工具の使用状態を示す説明図である。本図は、二重床１００の床下に通線を行う場合の通線工具１１０の状態を示したものである。床下面１０１上には、図示したように、テープ状の通線工具１１０が押し出し移動されており、その先端にはリーダヘッド１１１が設けられている。
【０００５】
リーダヘッド１１１は、図示したように、前面１１２が底面１１３に連続する凸曲面形状をなしており、この凸曲面形状により押し出し移動の際に伸長方向前方に位置する既設配線Ｓなどの比較的低い障害物を乗り越えることができる。したがって、先端を目的位置まで確実に到達させることができる。
【０００６】
また、他の例として、天井裏などの上下方向に比較的広い空間があり、途中に野ぶち受け材やダクトなど大きい障害物がある場合には、通線工具の先端に背の高いリーダヘッドを設ける場合がある。
【０００７】
図１１は、他の従来の通線工具の使用状態を示す説明図である。本図は、天井裏面上に通線を行う場合の通線工具の状態を示したものである。天井裏面１０５上には、図示したように、テープ状の通線工具１１０が押し出し移動されており、その先端には背の高いリーダヘッド１２０が設けられている。
【０００８】
リーダヘッド１２０は、図示したように、側方から見ると略くの字型に折れ曲げられた形状を有しており、通線工具１１０に固定される基端片１２１と、その基端片１２１の前部から前方斜め上方に向かって所定高さ突出する先端片１２２とを備えている。
【０００９】
基端片１２１は、通線工具１１０の下面部と略平行に連続する床平面部１２３を備えており、先端片１２２は、床平面部１２３に連続して前方へ移行するにしたがって漸次上方に移行する傾斜面部１２５を備える。傾斜面部１２５は、その上端が野ぶち受け材Ｌよりも上方に位置する高さを有している。
【００１０】
リーダヘッド１２０は、図示したように、傾斜面部１２５により伸長方向前方に野ぶち受け材Ｌなどの比較的背の高い障害物がある場合であっても、傾斜面部１２５によってこれを乗り越えて進むことができる。したがって、通線工具１１０の先端を目的位置まで確実に到達させることができる。このように、従来の通線工具１１０は、リーダヘッド１２０を使用場所及び状況に応じてそれぞれに適した形状のものに交換することにより、通線作業を確実に行っていた。
【００１１】
【発明が解決しようとする課題】
しかしながら、上述のような従来のものは、複数種類のリーダヘッドの中から使用場所に対応した形状を有するものを選択し、通線工具から取り外し若しくは取付けるための交換作業が必要であり、煩わしく、通線作業を行うために必要な全体の作業時間が長くなるという問題を有する。また、複数種類のリーダヘッドを常に携行しなければならず、これらのリーダヘッドを揃えるためにコストが増大するという問題もある。
【００１２】
また、使用場所などによっては所有しているリーダヘッドのサイズでは対応できない場合がある。このような場合には、もはやその通線工具を使用することができないという問題を有する。
【００１３】
図１２は、使用場所にリーダヘッドのサイズが合致していない状態を示した説明図である。本図は、コンクリートを流し込む前の二重鉄筋の間に可撓管などの通線を行う場合に使用される通線工具の状態を示したものである。これによれば、リーダヘッドのサイズが状況に適応していないため、図（ａ）ではリーダヘッド１１１が鉄筋の間隔に対して小さいために下部鉄筋１０６から下方に落ちてしまっており、図（ｂ）ではリーダヘッド１２０のサイズが大きいために上部鉄筋１０７の上方に飛び出してしまっている。このような状況では、もはや上部鉄筋１０７と下部鉄筋１０６との間に通線工具１１０を押し出し移動させることはできない。
【００１４】
本発明は、上述した不具合を解決すべくなされたものであり、その目的は、通線がなされる場所や障害物の大きさなどの状況に適切に対応できるリーダヘッドを備えた通線工具を提供することにある。
【００１５】
【課題を解決するための手段】
上記目的を達成するための請求項１に記載した通線工具の発明は、所定の剛性及び長さを有し所望の通線領域にて移動されるテープ状のリード線と、該リード線の先端部分の所定箇所で所定の角度付けを行い、該リード線の移動時における最先端高さ位置を調整可能なリーダヘッドとを備え、前記リーダヘッドは、前記リード線の先端部分に固定され、前記リード線の伸長方向に延在する上面部及び底平面部と、該上面部と底平面部の左右側端間を閉塞する側面部と、底平面部の前端から前方に突出して凸曲面形状をなす前面部を備えた本体と、該本体の上面部よりも広い傾斜面部及び該傾斜面部の左右側端から一方面側に対峙して所定高さ突出するとともに前記本体の前端部分に基端部が軸支される側板部を有して先端が上方に揺動可能なアームと、を備え、該アームの折りたたみ状態において前記本体に沿って延在して前記本体を傾斜面部、側板部により囲繞される空間内に収容し、拡開状態では前記本体の前端から前方斜め上方にアーム部が突出することを特徴とする。
【００１６】
これによれば、リーダヘッドのアームを、アームの内方に本体が収容された折りたたみ状態、又は、本体の前端から前方斜め上方に突出させる拡開状態とすることができ、リーダヘッドの高さを調整することができる。そして、拡開状態におけるアームの傾斜角度を変更し、アームの最先端の高さ位置を調整することができる。従って、押し出し移動した際にリーダヘッドにより障害物を乗り越えることができ、所望の通線領域にて途中でつっかえることなくリード線の押し出し移動を確実に行うことができ、通線作業を容易に行うことができる。
【００２６】
【発明の実施の形態】
次に、本発明の実施の形態について以下に図に基づいて説明する。
【００２７】
図１は、本発明の実施の形態を示す全体斜視図、図２は、図１の縦断面図である。本実施の形態において通線工具１は、ケース２内に収容可能なリード線３により構成されており、リード線３の先端にはリーダヘッド４が設けられている。
【００２８】
ケース２は、内部にリード線３を巻回状態で収容可能な室内空間を備え、正面部にはリード線３を先端側から繰り出し可能な開口部５が形成されている。そして、室内空間内の略中央位置には、両端がケースの側壁面部６に軸支された回転軸７が設けられており、一方の側壁面部６ａには回転軸７と連結されこれを回転させる回転ハンドル部８が設けられている。
【００２９】
リード線３は、スチール製の薄板により構成されており、基端は回転軸７に固定され、回転軸７を中心として積層状態に巻回されている（図２参照）。そして、リード線３の先端は、ケース２の開口部５からケース外に突出している。リード線３は、先端を引き出すことによりケース２から繰り出され、回転ハンドル部８を回転させることにより回転軸７に巻き付けられケース２内に収容される。
【００３０】
図３は、リード線３の長手方向に直交する断面形状を示す説明図である。リード線３は、伸長状態では図３（ａ）に示したように、長手方向に直交する断面形状が、上面部３ａの上方位置に径中心を有し中央部分が下方へ突出する円弧曲線を２つ並列に連結配置した形状をなす。
【００３１】
すなわち、リード線３の両端部３ｃ間の中央位置には両端部３ｃとほぼ同じ高さ位置に位置し上方に向かって角をなして突出する上頂部３ｂが形成され、円弧曲線の最下端部分には下頂部３ｄが形成される。この断面形状により、剛となる部分が２つの円弧曲線部分とこれらを連結した上頂部３ｂとの複数箇所となり、伸長状態の維持性を向上させることができる。
【００３２】
また、リード線３がケース２内に巻回収容された場合、断面形状は図３（ｂ）に示したように略直線状に変形し、剛となる部分は消滅する。したがって、リード線３を小さい径で巻回することができ、収容するケース２（図２参照）の径方向の大きさを小さくすることができる。
【００３３】
図４は、リード線３の他の実施例を例示したものである。図中（ａ）に示した実施例は、リード線３の長手方向に直交する断面形状が、リード線３の上面３ａ上方位置に径中心を有し中央部分が下方へ突出する円弧曲線を３つ並列に連結配置した形状をなす。これによれば、図３に示したリード線３よりも剛となる部分の数が増加するため、同様に伸長状態の維持性を向上させることができる。
【００３４】
図（ｂ）は、上頂部３ｂの形状をリード線３の下面３ｅ下方位置に径中心を有し中央部分が上方へ突出する円弧曲線としたものでる。したがって、上方に突出する円弧曲線と下方に突出する円弧曲線が交互に連続配置された略波板形状をなす。これによれば、円弧曲線部分の数が増加するため、剛となる部分の数が増加し、同様に伸長状態の維持性を向上させることができる。
【００３５】
上述のように、本発明においてリード線３の断面形状は複数の連続する山形をなし、その山形とは、リード線３の一方面側にのみ突出するもののみでなく、両面側にそれぞれ突出するものも含まれる。すなわち、異なる見方及び表現をすれば、断面形状は、山部と谷部が連続する形状であるということもできる。
【００３６】
図（ｃ）及び図（ｄ）は、複数連続する上下の頂部間を直線で結んだ略ジグザグ形状をなすものである。ここで、上頂部３ｂは上方に向かって角をなして突出し、下頂部３ｄは下方に向かって角をなして突出している。したがって、剛となる部分が複数となり、伸長状態の維持性を向上させることができる。
【００３７】
これにより、リード線３は伸長の際、途中部分にて折れ曲がりにくくなり、より一直線状に伸長させることができる。したがって、リード線３の先端を目的とする箇所まで確実に到達させることができ、通線作業を確実に行うことができる。
【００３８】
次に、リーダヘッド４について説明する。図５は、図１に示したリーダヘッド４の一部を縦断面により示す説明図である。リーダヘッド４は、軽量の合成樹脂製材料により構成されており、リード線３の先端にねじ止め固定される本体１０と、本体１０に基端が軸支され先端を揺動可能なアーム２０とを備える。
【００３９】
本体１０は、図示したように、伸長方向に移行するにしたがって漸次高さが高くなる逆くさび形状をなし、リード線３に連続する底平面部１１、後端から前方へ移行するにしたがって漸次その高さが高くなるように傾斜形成された上面部１２、底平面部１１と上面部１２の左右側端間を閉塞する側面部１３、底平面部１１の前端から上方に移行するにしたがって前方に突出する凸曲面形状をなす前面部１４を備えている。
【００４０】
また、本体１０は、その内部に底平面部１１に開口する所定の室内空間１５が形成されており、回転自在に設けられリード線３の伸長を容易ならしめる移動ローラ１６を備えている。
【００４１】
アーム２０は、本体１０の上面部１２よりも一回り広い傾斜面部２１と、その左右側端から一方面側に対峙して所定高さ突出する左右の側板部２２と、本体１０の前面部１４と略同形状の凸曲面形状を有する基端部２３とを備えており、これら傾斜面部２１、側板部２２、基端部２３により囲繞される空間内に本体１０を収容することができる大きさを有している。
【００４２】
そして、本体１０とアーム２０は、側面部１３の前端側と側板部２２の基端側の位置にて左右方向に両者を貫通するボルト軸２５により枢結されている。このボルト軸２５を緊緩することにより、リーダヘッド４は、アーム２０の先端２４を本体１０の後端上に配置し本体１０をアーム２０内に収容した折りたたみ状態、若しくはアーム２０の先端２４を本体１０上方に揺動させて本体１０の前面部１４よりも前方位置に配置させた拡開状態とすることができる。また、アーム２０の拡開角度は、状況に応じて任意の角度に変更することができる。
【００４３】
図６は、リーダヘッド４を折りたたみ状態とした場合における使用状態を示す側方説明図である。リーダヘッド４を折りたたみ状態として使用する場合としては、例えば図示したように、上下高さが低い二重床３０の床下面３１上に通線を行う場合が考えられる。
【００４４】
この場合、アーム２０の基端部２３が伸長方向前端に位置することとなる。アーム２０の基端部２３は、図示したように、側板部２２の突出端２２ａへとなだらかに連続する凸曲面形状をなすため、その伸長方向前方位置に低い障害物、例えば既設の配線３２がある場合でも、これを乗り越えることができ、つまずくことなく更に伸長させることができる。また、移動ローラがリーダヘッド４の移動をよりスムーズなものとし、テープ状部材の伸長を更に容易ならしめている。
【００４５】
次に、リーダヘッド４を拡開状態として使用する場合について説明する。図７は、リーダヘッド４を拡開状態とした場合における使用状態を示す側方説明図である。拡開状態として使用する場合としては、例えば図示したように、上方に比較的広い空間を有する天井裏面３５上に通線を行う場合でかつ伸長方向前方には野ぶち受け材３６などの比較的背の高い障害物がある場合が考えられる。
【００４６】
この場合、リーダヘッド４は、図示したように、アーム２０の先端２４が本体１０の前面部１４（図５参照）よりも前方に位置しかつその高さが野ぶち受け材３６よりも高い位置となる拡開状態に調整されている。したがって、テープ状リード線３を伸長させリーダヘッド４を伸長方向前方へ前進させた場合、アーム２０の傾斜面部２１によって障害物を乗り越えることができる。
【００４７】
尚、リーダヘッド４は、アーム２０が立てられることにより重心位置が上方位置に移動するため、左右方向に不安定となり易くなるが、本実施の形態ではテープ状リード線３の構造により伸長状態の維持性が向上されているため、安定して使用することができる。したがって、テープ状リード線３の先端を目的位置まで到達させることができ、確実に通線作業を行うことができる。
【００４８】
このように、本体１０とアーム２０との拡開角度を変更することによって、通線を行う場所の状況に適した形状にすることができる。したがって、複数種類のリーダヘッドを携行する必要がなく、交換作業の手間も省くことができ、通線工具の利便性を向上させることができる。また、一つのリーダヘッドですべて対応できるため、複数種類のリーダヘッドを揃える必要がなく、部品コストを低く抑えることができる。
【００５８】
本発明は、上述の実施の形態に限定されるものではなく、本発明の要旨内にて種々の変更が可能である。例えば、上述の実施の形態では、本件とアームとの角度調整をボルト軸の緊緩により行う例を示したがこれに限定されるものではなく、例えば、本体の側面部にアームの揺動中心を中心軸とした凹凸円盤面を設け、これと摺接するアームの側板部の内側面に同様の凹凸円盤面を設けて、両者の噛合により本体とアームの角度位置を調整する構造としても良い。
【００５９】
【発明の効果】
以上説明したように、本発明によれば、通線工具の先端部分に角度付けを行い、その高さを変更調整することができる。したがって、通線領域の大きさや状況に対応する形状とすることができ、通線工具の押し出し移動を容易なものとすることができる。これにより、通線作業を確実かつ容易に行うことができる。
【図面の簡単な説明】
【図１】本発明の実施の形態を示す全体斜視図である。
【図２】図１の縦断面図である。
【図３】リード線の長手方向に直交する断面形状を示す説明図である。
【図４】リード線の他の実施例を示したものである。
【図５】図１に示したリーダヘッドの一部を縦断面により示す説明図である。
【図６】リーダヘッドを折りたたみ状態とした場合における使用状態を示す側方説明図である。
【図７】リーダヘッドを拡開状態とした場合における使用状態を示す側方説明図である。
【図８】従来の通線工具の使用状態を示す説明図である。
【図９】他の従来の通線工具の使用状態を示す説明図である。
【図１０】従来の通線工具の使用状態を示す説明図である。
【符号の説明】
１ 通線工具
２ ケース
３ リード線
４ リーダヘッド
【図１】
0004229505.tif 000002
【図２】
0004229505.tif 000003
【図３】
0004229505.tif 000004
【図４】
0004229505.tif 000005
【図５】
0004229505.tif 000006
【図６】
0004229505.tif 000007
【図７】
0004229505.tif 000008
【図８】
0004229505.tif 000009
【図９】
0004229505.tif 000010
【図１０】
0004229505.tif 000011